【事件の表示】
　特願２０００−３２９６０４「画像処理装置、画像処理方法および記憶媒体」拒絶査定不服審判事件〔平成１４年　５月１０日出願公開、特開２００２−１３２８２６〕について、次のとおり審決する。
【結　論】
　本件審判の請求は、成り立たない。
【理　由】
１．手続の経緯
　本願は、平成１２年１０月２７日の出願であって、平成２０年２月２２日付けで拒絶理由通知がなされ、同年４月２５日付けで手続補正がなされたが、同年６月３日付けで拒絶査定がなされ、これに対し、同年７月３日に拒絶査定不服審判の請求がなされるとともに、同日付けで手続補正がなされたものである。
　
２．平成２０年７月３日付けの手続補正（以下、「本件手続補正」という。）についての補正却下の決定
［補正却下の決定の結論］
　平成２０年７月３日付けの手続補正を却下する。
　
［理由］
（１）補正後の請求項１に係る発明
　本件手続補正により、特許請求の範囲の請求項１は、
「静止画像と、動画像とを含む複数の画像の中から所望の画像を検索するための画像処理装置であって、
　前記動画像からシーンチェンジの区切りのフレームを決定し、該区切りのフレームから予め定めたフレーム数だけ後のフレームを選択する選択手段と、
　前記静止画像と前記選択手段で選択されたフレームとを候補画像として、前記候補画像の特徴量を前記候補画像のそれぞれと対応付けて記憶する記憶手段と、
　表示画面上に描画された画像を検索キーとして取得する取得手段と、
　前記検索キーの特徴量を算出する特徴量算出手段と、
　前記記憶手段に記憶された候補画像の特徴量と前記特徴量算出手段により算出した特徴量とに基づいて、前記候補画像のそれぞれと前記検索キーとの類似度を計算する類似度計算手段と、
　前記類似度に基づき前記候補画像の中から前記検索キーに類似する画像を検索する検索手段と、
　前記検索手段の検索結果を表示する表示手段と
を備えることを特徴とする画像処理装置。」
と補正された。
　
　請求項１を上記のとおりにする補正は、補正前の請求項１における「前記動画像からシーンチェンジ
直後のフレーム又はシーンチェンジ
の区切りのフレームを決定し、該区切りのフレーム
　そこで、本件手続補正後の上記請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
（２）引用例
　原査定の拒絶の理由に引用された特開平５−８１３４７号公報（以下、「引用例１」という。）、特開２０００−７６２６８号公報（以下、「引用例２」という。）、特開平１０−２８２５０号公報（以下、「引用例３」という。）には、それぞれ、図面とともに次の事項が記載されている。
　
（引用例１）
Ａ．「【００２６】
【作用】本発明においては、静止画像データ及び動画像データの代表画像を並べて画面に表示する。
【００２７】従って、静止画像データ及び動画像データを同一画面上で見ながら一緒に検索できる。よって、静止画像データと動画像データを別々に検索する際の煩雑さを解消でき、迅速な検索を可能とする。」
　
Ｂ．「【００４８】図５に示すように、前記データベースシステムにおいて、データベース管理部１０は、検索用インデックスデータや後述する縮小画像（代表画像に相当）を並べた検索画面のデータ等のデジタルデータを主に格納するための、第１の記憶段１０Ａと、動画像又は静止画像のデータをアナログデータとして格納するためのビデオディスク１０Ｂと、データベース管理部１０と複数のデータベース入力・検索・利用端末装置１２とが接続されている場合に、いずれの端末装置１２からディスク１０Ｂへアナログ画像データを入出力するかを切換える端末切換器１０Ｃとを有する。」
　
Ｃ．「【００５４】前記データベース入力・検索・利用端末装置１２において、動画像入力部１４は、ＶＴＲやＬＤ等からなるビデオ機器１４Ａと、当該ビデオ機器１４Ａの運転、停止を制御して、ビデオ機器１４Ａ中の記録媒体から動画像データを出力させ、あるいは当該記録媒体に記録させるためのビデオ機器リモートコントローラ１４Ｂと、前記ビデオ機器１４Ｃとの自然音声データの入出力をＡＤＰＣＭ変換して行うための音声コンバータ１４Ｃと、前記ビデオ機器１４Ａから出力される動画像データ中の１フレーム画像を静止画として一旦記憶するための第１のフレームバッファ１４Ｄとを主に有する。
【００５５】又、動画像入力部１４は、画像を入力するに際し、元の動画像の全こま（駒）毎、又は、一定間隔のこま毎のフレームの画像を第１のフレームバッファ１４Ｄから取込み、後記画素密度変換器１６Ｃで画素密度変換して画素の間引きを行い縮小画像を作成する機能を有している。この縮小画像を後記動画的表示器１８Ｃが検索画面上で順次連続的に表示させることにより、動画的表示ができるようになっている。
【００５６】なお、縮小画像を作成するに際して第１のフレームバッファ１４Ｄ上の静止画再生された画像を例えば横７６８×縦４８０ドット、且つ、２４ビットフルカラーのデジタル画像データとし、その後、当該画像データを間引いて例えば横１２８×縦９６ドット、且つ８ビット限定色の縮小画像を作成することがきる。又、この縮小画像のうち動画像の内容を最もよく表わすこま又は任意のこまの画像の縮小画像を代表画像とし、これをビットマップディスプレイ１８Ｅ上の画面に縦、横枡目状に並べる。なお、このように並べた画面を検索画面という。又、代表画像は、１こまの縮小画像から作成するのは１例であり、その他例えば複数の画像の和等をとり縮小して代表画像を作成することができる。」
　
Ｄ．「【００５９】前記データベース検索部１８は、前記ビットマップディスプレイ１８Ｅ上の検索画面の各縮小画像について、動画像か静止画像かの区別を表示させる区別表示器１８Ａと、前記検索画面の縮小画像を静止画の状態で検索画面上に表示させるための静止画表示器１８Ｂと、前記検索画面上で動画像の縮小画像を全こま又は一定間隔のこま（こま落し）により動画的に表示させるための動画表示器１８Ｃと、ビットマップディスプレイ１８Ｅ上に前記映像関連情報の数値や文字を表示させるための数値・文字表示器１８Ｄと、前記縮小画像の検索画面上、関連情報等を表示するビットマップディスプレイ１８Ｅと、前記検索画面上の縮小画像の選択を入力するための選択器１８Ｆとを有する。
【００６０】前記区別表示器１８Ａは例えば動画像データの代表画像を緑色の枠で囲み、静止画像データの代表画像を赤色の枠で囲んで区別するようにできるものである。」
　
Ｅ．「【００６５】動画像データにおいて、比較的長時間の動画像データの場合、そのデータを記録媒体に記録して保管庫に保管すると共に、検索画面に表示する代表画像の縮小画像を第１の記憶段１０Ａにデジタルデータの形で記録しておき、検索の効率化、迅速化を図るようにしている。」
　
Ｆ．「【００９３】ところで、静止画像データの縮小画像は静止画像データを画素密度変換器１６Ｃで間引くことにより作成する。作成縮小画像（これが代表画像となる）は、第１の記憶段１０Ａに記憶させる。」
　
　上記Ｃには、「動画像入力部１４は、画像を入力するに際し、元の動画像の全こま（駒）毎、又は、一定間隔のこま毎のフレームの画像を第１のフレームバッファ１４Ｄから取込み、後記画素密度変換器１６Ｃで画素密度変換して画素の間引きを行い縮小画像を作成する機能を有し」、「この縮小画像のうち動画像の内容を最もよく表わすこま又は任意のこまの画像の縮小画像を代表画像と」すると記載されており、「任意のこまの画像の縮小画像を代表画像と」とするためには、どの「こま」の画像の縮小画像を代表画像とするかを選択する必要があることから、「動画像入力部」は、「動画像データ中の任意のこまを選択している」といえる。
　そして、上記Ｅには、動画像データにおいて、検索画面に表示する代表画像の縮小画像を第１の記憶段１０Ａに記憶することが示されており、また、上記Ｆを参照すると、静止画像データの縮小画像を代表画像とし、第１の記憶段１０Ａに記憶させることが示されていることから、「第１の記憶段」は、「静止画像データの縮小画像と、動画像入力部で選択されたこまの画像の縮小画像とを代表画像として記憶」しているといえる。
　
　上記Ｄを参照すると、ビットマップディスプレイ１８Ｅ上に、動画像データの代表画像と静止画像データの代表画像を区別して表示することが示されている。
　
　よって、上記Ａ〜Ｆの記載及び関連する図面を参照すると、引用例１には、次の発明が記載されているものと認められる。（以下、「引用例１記載の発明」という。）
「静止画像データと、動画像データとを含む複数の画像データの中から所望の画像データを検索するためのデータベースシステムであって、
　前記動画像データ中の任意のこまを選択する動画像入力部と、
　前記静止画像データの縮小画像と、前記動画像入力部で選択されたこまの画像の縮小画像とを代表画像として記憶する第１の記憶段と、
　前記代表画像を表示するビットマップディスプレイと
を備えるデータベースシステム。」
　
（引用例２）
Ｇ．「【請求項１】　複数の画像データを蓄積した画像データベースから所望の画像データを検索する画像検索装置であって、
ユーザが描画する画像を検索条件として入力する入力手段と、前記入力手段で入力された画像の画像特徴量を計算する画像特徴量計算手段との実行を制御する第１制御手段と、
前記複数の画像データそれぞれと、それぞれの画像データの画像特徴量を対応付けて記憶する記憶手段と、前記画像特徴量計算手段で計算された画像特徴量と、前記記憶手段に記憶された画像データの画像特徴量に基づいて、画像類似度を計算する画像類似度計算手段と、前記画像類似度計算手段で計算された画像類似度に基づいて、検索結果とする画像データの一覧を表示する画像表示手段との実行を制御する第２制御手段と、
前記第１制御手段と前記第２制御手段のそれぞれの制御を並列処理し、該第１制御手段と該第２制御手段間との通信を制御する第３制御手段とを備えることを特徴とする画像検索装置。」
　
Ｈ．「【００２５】図２は本発明の実施形態の検索処理の実行時に表示部に表示される操作画面を示す図である。
【００２６】２１はユーザ描画領域、２２はカーソル、２３は色指定スクロールバー、２４はクリアボタン、２５は検索実行ボタン、２７は次候補表示ボタン、２８は処理終了ボタンである。また、２６ａ〜２６ｈは、検索結果とする画像データに対応するアイコン画像群を表示する領域である。
【００２７】ユーザは、ソフトウェアにより実現される上記描画ツールを用いて、ユーザ描画領域２１に検索対象の画像に似せた検索条件とするイラストを描画することができる。・・・（後略）・・・」
　
Ｉ．「【００３２】まず、図３（ａ）を用いてプロセスＡで実行される処理について説明する。
【００３３】ステップＳ１７１で、ユーザが表示部１０３上に、ハードディスク装置１０６上に蓄積される検索対象である所望の画像データに似せた検索条件とするイラストを描画する。ステップＳ１７２で、描画されたイラストの画像特徴量を計算する。ステップＳ１７３で、プロセス間通信を行い、計算された画像特徴量をプロセスＢに渡す。ステップＳ１７４で、検索作業を終了するか否かを判定する。続ける場合（ステップＳ１７４でＮＯ）、ステップＳ１７１に戻る。一方、続けない場合（ステップＳ１７４でＹＥＳ）、処理を終了する。
【００３４】次に、図３（ｂ）を用いてプロセスＢで実行される処理について説明する。
【００３５】ステップＳ１７５で、プロセスＡからのプロセス間通信（画像特徴量）を受信したか否かを判定する。受信していない場合（ステップＳ１７５でＮＯ）、ステップＳ１７５に戻る。即ち、プロセス間通信を監視するループを形成する。一方、受信した場合（ステップＳ１７５でＹＥＳ）、ステップＳ１７６に進む。
【００３６】ステップＳ１７６で、受信した画像特徴量に基いて類似画像検索を実行する。ステップＳ１７７で、検索された類似画像を表示部１０３に表示する。ステップＳ１７８で、検索作業を終了するか否かを判定する。終了しない場合（ステップＳ１７８でＮＯ）、ステップＳ１７５に戻る。一方、終了する場合（ステップＳ１７８でＹＥＳ）、処理を終了する。」
　
　上記Ｈ，Ｉを参照すると、表示部に表示される画面に、検索条件とする画像をユーザが描画し、描画された画像の画像特徴量を計算することが示されていることから、「画像検索装置」は「表示画面上に描画された画像を検索条件として取得する手段」を備えているといえる。
　
　よって、上記Ｇ〜Ｉの記載及び関連する図面を参照すると、引用例２には、次の発明が記載されているものと認められる。（以下、「引用例２記載の発明」という。）
「複数の画像データの中から所望の画像データを検索する画像検索装置であって、
　前記複数の画像データそれぞれと、それぞれの画像データの画像特徴量を対応付けて記憶する記憶手段と、
　表示画面上に描画された画像を検索条件として取得する手段と、
　前記描画された画像の画像特徴量を計算する画像特徴量計算手段と、
　前記記憶手段に記憶された画像データの画像特徴量と前記画像特徴量計算手段で計算された画像特徴量とに基づいて、前記画像データのそれぞれと前記描画された画像との画像類似度を計算する画像類似度計算手段と、
　前記画像類似度に基づき前記画像データの中から前記描画された画像に類似する画像データを検索し、検索結果を表示する画像表示手段と
を備える画像検索装置。」
　
（引用例３）
Ｊ．「【０００２】
【従来の技術】・・・（中略）・・・　（ビデオカメラの録画スタートからストップまでの連続した一区間の映像をカットという。こうしたカットを複数撮影して組み合わせ、一本の映像作品を構成する）・・・（後略）・・・」
　
Ｋ．「【００１６】・・・（中略）・・・　ディスプレイ右側の領域には、アイコン画像２１０が一覧になって表示される。これは、直前に撮影されたカットから各々一枚ずつ代表的なフレーム画像を選び、選んだフレーム画像を、代表画像としてアイコン化した画像である。このように、ディスプレイ２０６上に、録画中も常に直前に撮影したカットの一覧を表示しているので、これまでの撮影履歴が即座に確認でき、現在どういう形で撮影すればよいのかや、これからどういうカットを撮影していくべきかの判断が撮影しながら簡単にできる。・・・（後略）・・・」
　
Ｌ．「【００２４】図３において、ＣＰＵ１１２は、録画状態で録画ボタンが押されると直ちに録画を終了し、映像データサイズ５１０などの、録画が終了するまで確定しなかった情報を図５に示す映像データ構造体５００内に記録する。次に、たった今録画が終了したカットについて代表画像を抽出し（３０６）、図４に示す管理テーブル１０００の代表画像のフレーム番号１０２０に、抽出した代表画像のフレーム番号を記録する。つぎに、代表画像一覧表示において、最も長い時間表示している代表画像を最新に抽出した代表画像に更新して表示し、また、その更新した代表画像を強調表示し（３０８）、待機状態に戻る。代表画像としては、カットの先頭、末尾、もしくは半分の位置などの予め定めた位置のフレーム画像をデフォルトとして取得する。」
　
　上記Ｊ〜Ｌの記載及び関連する図面を参照すると、引用例３には、次の技術が記載されているものと認められる。（以下、「引用例３記載の技術」という。）
「カットの先頭、末尾、もしくは半分の位置などの予め定めた位置のフレーム画像を代表画像として取得し、一覧表示すること。」
　
（３）対比
　本願補正発明と引用例１記載の発明とを対比すると、次のことがいえる。
　
（あ）引用例１記載の発明における「静止画像データ」、「動画像データ」、「画像データ」、「こま」、「ビットマップディスプレイ」は、それぞれ、本願補正発明における「静止画像」、「動画像」、「画像」、「フレーム」、「表示手段」に相当するものである。
　
（い）引用例１記載の発明における「データベースシステム」は、画像データから代表画像を作成する処理を行うものであるから、「画像処理装置」と呼び得るものである。
　
（う）引用例１記載の発明における「動画像データ中の任意のこまを選択する動画像入力部」と、本願補正発明における「動画像からシーンチェンジの区切りのフレームを決定し、該区切りのフレームから予め定めたフレーム数だけ後のフレームを選択する選択手段」とは、ともに、「動画像からフレームを選択する手段」である点で共通するものである。
　
　上記（あ）〜（う）の事項を踏まえると、本願補正発明と引用例１記載の発明とは、次の点で一致し、また、相違するものと認められる。
　
（一致点）
　本願補正発明と引用例１記載の発明とは、ともに、
「静止画像と、動画像とを含む複数の画像の中から所望の画像を検索するための画像処理装置であって、
　前記動画像からフレームを選択する手段と、
　表示手段と、
を備える画像処理装置。」
である点。
　
（相違点）
　相違点１：本願補正発明は、「静止画像と選択手段で選択されたフレームとを候補画像として、前記候補画像の特徴量を前記候補画像のそれぞれと対応付けて記憶する記憶手段」と、「表示画面上に描画された画像を検索キーとして取得する取得手段」と、「前記検索キーの特徴量を算出する特徴量算出手段」と、「前記記憶手段に記憶された候補画像の特徴量と前記特徴量算出手段により算出した特徴量とに基づいて、前記候補画像のそれぞれと前記検索キーとの類似度を計算する類似度計算手段」と、「前記類似度に基づき前記候補画像の中から前記検索キーに類似する画像を検索する検索手段」と、「前記検索手段の検索結果を表示する表示手段」とを備えているのに対し、引用例１記載の発明は、それらの手段を備えていない点。
　
　相違点２：「動画像からフレームを選択する手段」が、本願補正発明においては、「動画像からシーンチェンジの区切りのフレームを決定し、該区切りのフレームから予め定めたフレーム数だけ後のフレームを選択する選択手段」であるのに対し、引用例１記載の発明においては、「動画像データ中の任意のこまを選択する動画像入力部」である点。
　
（４）判断
　そこで、上記相違点１，２について検討する。
　
（相違点１について）
　引用例２には、複数の画像データの中から所望の画像データを検索するものにおいて、表示画面上に描画された画像を検索条件（検索キー）とすることを可能とした装置であって、「複数の画像データそれぞれと、それぞれの画像データの画像特徴量を対応付けて記憶する記憶手段」と、「表示画面上に描画された画像を検索条件として取得する手段」と、「前記描画された画像の画像特徴量を計算する画像特徴量計算手段」と、「前記記憶手段に記憶された画像データの画像特徴量と前記画像特徴量計算手段で計算された画像特徴量とに基づいて、前記画像データのそれぞれと前記描画された画像との画像類似度を計算する画像類似度計算手段」と、「前記画像類似度に基づき前記画像データの中から前記描画された画像に類似する画像データを検索し、検索結果を表示する画像表示手段」とを備え、前記検索条件となる画像と類似する画像データを検索するようにしたものが記載されている。
　引用例１記載の発明においても、引用例２に記載のもののように、表示画面上に描画された画像を検索条件にした検索が有用な場合があることは当業者に自明であるし、引用例１記載の発明に、引用例２記載の発明を適用できない理由もないから、引用例１記載の発明に引用例２記載の発明を適用することは当業者が容易に推考し得たことというべきである。
　以上の事情にかんがみれば、引用例１記載の発明において、「静止画像と選択手段で選択されたフレームとを候補画像として、前記候補画像の特徴量を前記候補画像のそれぞれと対応付けて記憶する記憶手段」と、「表示画面上に描画された画像を検索キーとして取得する取得手段」と、「前記検索キーの特徴量を算出する特徴量算出手段」と、「前記記憶手段に記憶された候補画像の特徴量と前記特徴量算出手段により算出した特徴量とに基づいて、前記候補画像のそれぞれと前記検索キーとの類似度を計算する類似度計算手段」と、「前記類似度に基づき前記候補画像の中から前記検索キーに類似する画像を検索する検索手段」と、「前記検索手段の検索結果を表示する表示手段」とを備えるようにすることは、当業者が容易に推考し得たことというべきである。
　
（相違点２について）
　引用例１記載の発明あるいは、引用例１記載の発明に引用例２記載の発明を適用したものにおいては、当然に「動画像からフレームを選択する手段」において、動画像データを代表させるフレームを選択することが必要であるが、当該動画像データを代表させるフレームを、動画像データ中のどのフレームとするかは、当業者が適宜決定し得たことである。
　一方、引用例３には、「カットの先頭、末尾、もしくは半分の位置などの予め定めた位置のフレーム画像」を動画データを代表させる画像とすることが記載されており、そこでいう「カットの先頭」は、本願補正発明でいう「シーンチェンジの区切りのフレーム」に相当するものと認められるから、引用例３には、動画データを代表させる画像として、「シーンチェンジの区切りのフレームを決定し、該区切りのフレームから予め定めたフレーム数だけ後のフレーム」を採用することが示唆されているといえる。
　以上の事情にかんがみれば、引用例１記載の発明あるいは、引用例１記載の発明に引用例２記載の発明を適用したものにおいて、「動画像からシーンチェンジの区切りのフレームを決定し、該区切りのフレームから予め定めたフレーム数だけ後のフレームを選択する選択手段」とすることも、当業者が容易に推考し得たことというべきである。
　
（本願補正発明の作用効果について）
　そして、本願補正発明の構成によってもたらされる効果も、引用例１，２記載の発明及び引用例３記載の技術から当業者が容易に予測することができる程度のものであって、格別のものとはいえない。
　
　したがって、本願補正発明は、引用例１，２記載の発明及び引用例３記載の技術に基いて、当業者が容易に発明をすることができたものであるから、特許法第２９条第２項の規定により、特許出願の際独立して特許を受けることができないものである。
　
（５）むすび
　よって、本件手続補正は、平成１８年法律第５５号改正附則第３条第１項によりなお従前の例によるとされる同法による改正前の特許法第１７条の２第５項において準用する同法第１２６条第５項の規定に違反するものであり、特許法第１５９条第１項において読み替えて準用する同法第５３条第１項の規定により却下されるべきものである。
　
３．補正却下の決定を踏まえた検討
（１）本願発明
　平成２０年７月３日付けの手続補正は、上記のとおり却下されたので、本願の請求項１に係る発明は、平成２０年４月２５日付け手続補正書の特許請求の範囲の請求項１に記載されたとおりの次のものと認める。（以下、「本願発明」という。）
「静止画像と、動画像とを含む複数の画像の中から所望の画像を検索するための画像処理装置であって、
　前記動画像からシーンチェンジ直後のフレーム又はシーンチェンジから予め定めたフレーム数だけ後のフレームを選択する選択手段と、
　前記静止画像と前記選択手段で選択されたフレームとを候補画像として、前記候補画像の特徴量を前記候補画像のそれぞれと対応付けて記憶する記憶手段と、
　表示画面上に描画された画像を検索キーとして取得する取得手段と、
　前記検索キーの特徴量を算出する特徴量算出手段と、
　前記記憶手段に記憶された候補画像の特徴量と前記特徴量算出手段により算出した特徴量とに基づいて、前記候補画像のそれぞれと前記検索キーとの類似度を計算する類似度計算手段と、
　前記類似度に基づき前記候補画像の中から前記検索キーに類似する画像を検索する検索手段と、
　前記検索手段の検索結果を表示する表示手段と
を備えることを特徴とする画像処理装置。」
　
（２）引用例
　これに対して、原査定の拒絶の理由に引用された引用例１〜３とその記載事項は、上記２．（２）に記載したとおりである。
　
（３）対比・判断
　本願発明は、上記２．で検討した本願補正発明における「前記動画像からシーンチェンジ
の区切りのフレームを決定し、該区切りのフレーム
直後のフレーム又はシーンチェンジ
　
　そうすると、本願発明の構成要件を全て含み、さらに特定の限定を施したものに相当する本願補正発明が、上記２．（４）に記載したとおり、引用例１，２記載の発明及び引用例３記載の技術に基いて、当業者が容易に発明をすることができたものであるから、上記特定の限定を省いた本願発明は、同様に、引用例１，２記載の発明及び引用例３記載の技術に基いて、当業者が容易に発明をすることができたものである。
　
（４）むすび
　以上のとおり、本願発明は、引用例１，２記載の発明及び引用例３記載の技術に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。